(57)【要約】      （修正有）【課題】クーラー室外機などの持続的に回転する機器の中心に適用される発電装置を提供する。【解決手段】発電装置は、回転部材１１と、発電機３とからなる。回転部材１１は、外部機器１に設けられ、前記回転部材の中心には、縦方向に貫通するように駆動軸１２が取り付けられ、前記駆動軸は、前記外部機器１の動力システムによって駆動され、その縦方向の中心軸線に沿って持続的に回転する。前記発電機３は、回転部材１１と同軸にして、前記駆動軸１２に連結される。【選択図】図１
0003178128.tif 000002
【実用新案登録請求の範囲】
【請求項１】
持続的に回転する中心部分を備える外部機器に設けられた発電装置であって、
発電装置は、回転部材と、発電機とからなり、
回転部材は、前記外部機器に設けられ、前記回転部材の中心には、縦方向に貫通するように駆動軸が取り付けられ、前記駆動軸は、前記外部機器の動力システムによって駆動され、その縦方向の中心軸線に沿って持続的に回転し、
前記発電機は、回転部材と同軸にして、前記駆動軸に連結されることを特徴とする、発電装置。
【請求項２】
前記発電装置には、さらに、蓄電池が設けられ、前記蓄電池は、発電機に連結されることを特徴とする、請求項１に記載の発電装置。
【請求項３】
前記発電装置には、さらに、電圧レギュレータが設けられ、前記電圧レギュレータは、前記発電機の出力端子に連結されることを特徴とする、請求項１に記載の発電装置。
【請求項４】
前記発電機は、ブラシレス発電機が採用されることを特徴とする、請求項１から請求項３に記載の発電装置。
【考案の詳細な説明】
【技術分野】
【０００１】
本考案は発電装置に関し、特に持続的に回転する機器の中心に適用される発電装置に関する。
【背景技術】
【０００２】
家電機器の普及に伴い、エネルギーの無駄遣いがどんどん増えており、いかにエネルギーを有効に回収して再利用するかが、人々の関心の的となっている。
【０００３】
現在市場に出回っている製品において、かなり多くの製品が、持続的に回転する機能を備えている。例えば、家電によく取り付けられている放熱ファンなどである。クーラーに取り付けられる放熱ファン等の機器、或いは、中心が持続的に回転する特徴をもつエネルギー消費製品の回転機器は、回転する過程において、一定のエネルギーが生じる。しかしながら、この生じたエネルギーの一部は有効に回収利用されていない。
【考案の概要】
【考案が解決しようとする課題】
【０００４】
そこで、本考案は、持続的に回転する機器の中心に適用される発電装置を提供することを目的とする。
【課題を解決するための手段】
【０００５】
本考案による発電装置は、持続的に回転する中心部分を備える外部機器に設けられる。本考案による発電装置は、回転部材と、発電機とからなる。回転部材は、前記外部機器に設けられ、前記回転部材の中心には、縦方向に貫通するように駆動軸が取り付けられ、前記駆動軸は、前記外部機器の動力システムによって駆動され、その縦方向の中心軸線に沿って持続的に回転する。前記発電機は、回転部材と同軸にして、前記駆動軸に連結される。
【０００６】
本考案による発電装置は、蓄電池が設けられ、蓄電池と発電機は連結される。
【０００７】
本考案による発電装置は、電圧レギュレータが設けられ、電圧レギュレータは、発電機の出力端子に連結される。
【０００８】
本考案による発電装置の発電機は、ブラシレス発電機が採用される。
【考案の効果】
【０００９】
本考案の発電装置では、発電機と回転部材を、同軸にして外部機器の駆動軸に連結することで、駆動軸の回転を利用して発電機の動力を生み出し、さらに、発電機が回転の運動エネルギーを電気エネルギーに変換して外部に出力する。駆動軸が回転する運動エネルギーは、こうして、有効に回収される。また、発電機には蓄電池が連結され、余った電気エネルギーの一部を貯蔵し、その後、使用することができる。また、発電機には、電圧レギュレータが連結され、電圧レギュレータによって外部に出力されるため、電力の出力が安定する。また、発電機にはブラシレスが採用されているため、発電機と駆動軸の間の摩擦消耗が減り、エネルギーの回收利用率を向上することができる。そして、本考案は、電力をループさせて使用することができる。
【図面の簡単な説明】
【００１０】
【図１】本考案の発電装置の斜視図である。
【図２】本考案の発電装置の組み立てを示した分解図である。
【図３】本考案の発電装置の応用実施例を示した説明図である。
【考案を実施するための形態】
【００１１】
以下に、図を併せながら本考案の具体的な実施例について詳細な説明を行う。しかしながら、それらは、本考案の保護範囲を理解するためのものであり、それにより、実施方式が制限されるものではない。
【００１２】
図１に示すように、本考案の発電装置は、外部機器と合わせて使用される。なお、この外部機器は、持続的に回転する中心部を備える。図１に示すクーラーにおいては、クーラー室内機２が室内に取り付けられ、それにより室温を下げることができ、クーラー室内機２とセットで用いられるクーラー室外機１が室外に取り付けられ、それにより、クーラー室内機２から生じる熱気を室外に排出することができる。クーラー室外機１は、主に、その内部に取り付けた回転部材１１の持続的な回転により、熱量を排出することができる。回転部材１１の中心は、駆動軸１２に縦方向に貫通して取り付けられ、駆動軸１２とクーラー室外機１動力システムは相互に接続され、それにより、クーラー室外機１の動力システムは、絶え間なく、駆動軸１２に動力を提供する。そして、駆動軸１２は、一定の回転速度を保ちながら回転し、それに連動した回転部材１１が回転し、放熱を行うことができる。
【００１３】
注意が必要なのは、駆動軸１２は、持続的に一定回転速度で回転し、それにより駆動された回転部材１１が速い速度で回転して放熱する、という点である。クーラー室外機１が確実に熱量を素早く排出させるために、駆動軸１２の回転速度は、一般的に比較的高い水準で保たれなければならない。言い換えると、駆動軸１２の回転速度は、単純に回転部材１１を回転させるのに必要な速度を越える。そして、本考案では、駆動軸１２に、小型の発電機を取り付けて、無駄になるエネルギーを回収利用する。
【００１４】
図１に示すように、本実施例では、クーラー室外機１の駆動軸１２に、発電機３を取り付ける。なお、発電機３は回転部材１１と同軸にして連結される。即ち、発電機３の縦方向の中心軸線と駆動軸１２の縦方向の中心軸線は、同一水平線上に配置され、発電機中軸３１と駆動軸１２は相互に連結される。
【００１５】
図２に示すように、回転部材１１に放熱ファン１１１を採用した例を挙げながら説明を行う。本考案の発電装置を取り付ける手順は以下の通りである。まず、放熱ファン１１１の中軸を、駆動軸１２に縦方向に貫通させて取り付け、その後、発電機３を、発電機中軸３１を介して駆動軸１２に連結させる（図２内の３Ａに図示）。或いは、まず、発電機３を駆動軸１２に縦方向に貫通させて取り付け、その後、放熱ファン１１１を駆動軸１２の外側に取り付ける（図２内の３Ｂに図示）。いいかえると、発電機３は、放熱ファン１１１の前方、或いは、後方のいずれにも取り付けることができ、発電機３を前後のどちらにとりつけても、本考案の使用には影響がない。
【００１６】
さらに、図３に示すように、本考案の発電装置には、電圧レギュレータ４が設けられ、電圧レギュレータ４と発電機３の出力端子は相互に連結される。言い換えると、発電機３が回収したエネルギーは、まず、電圧レギュレータ３によって処理された後、処理され電圧が安定した電気エネルギーが外部に出力される。
【００１７】
さらに、図３に示すように、本考案の発電装置には、蓄電池７が設けられる。蓄電池７は、電圧レギュレータ４の出力端子と連結される（直接、発電機３に接続することもできる）。蓄電池７は、余分なエネルギーを貯蔵することもできるし、或いは、蓄電池７は、エネルギーの一部を貯蓄して、緊急状況の時に使用することもできる。
【００１８】
それと同時に、消耗を減らし、エネルギー転化効率を強化するため、本考案の発電装置は、ブラシレス発電機を採用する。ブラシレス発電機を用いることにより、発電機中軸３１と駆動軸１２の間の摩擦消耗を最低まで減らすことができ、駆動軸１２の稼働負担を軽減することができるため、できる限り多くのエネルギーを生みだすことができる。
【００１９】
本考案の発電装置の回収効率は高い。駆動軸１２の運動エネルギーを、元々を基礎にして、小さい幅を増大させることで、エネルギーの高い回収率を実現している。また、本考案の発電装置でのエネルギーの回収は、ループ式を採用している。図３に示すように、回收されたエネルギーは、出力線に接続されて、発電所５へ送られるか、或いは、直接、家庭の使用者６で使用されるか、或いは、クーラーの電気供給ボード８にループされて、クーラーで使用される、或いは、予備エネルギーとして蓄電池７内に貯蔵される。
【００２０】
本考案の発電装置では、発電機と回転部材を、同軸にして外部機器の駆動軸に連結することで、駆動軸の回転を利用して発電機の動力を生み出し、さらに、発電機が回転の運動エネルギーを電気エネルギーに変換して外部に出力する。駆動軸が回転する運動エネルギーは、こうして、有効に回収される。また、発電機には蓄電池が連結され、余った電気エネルギーの一部を貯蔵し、その後、使用することができる。また、発電機には、電圧レギュレータが連結され、電圧レギュレータによって外部に出力されるため、電力の出力が安定する。また、発電機にはブラシレスが採用されているため、発電機と駆動軸の間の摩擦消耗が減り、エネルギーの回收利用率を向上することができる。そして、本考案は、電力をループさせて使用することができる。
【符号の説明】
【００２１】
１      クーラー室外機
１１    回転部材
１１１  放熱ファン
１２    駆動軸
２      クーラー室内機
３      発電機
３１    発電機中軸
４      電圧レギュレータ
５      発電所
６      家庭の使用者
７      蓄電池
８      クーラーの電気供給ボード
【図１】
0003178128.tif 000003
【図２】
0003178128.tif 000004
【図３】
0003178128.tif 000005